(57)【要約】【課題】カッターを有するプリンタ装置において、容易に可動刃等を交換することができるプリンタ装置を提供する。【解決手段】プリントヘッドにより印字がなされた記録紙を固定刃と可動刃により切断するプリンタ装置において、一方の面に突起部が設けられた可動刃スライダを有し、前記可動刃は可動刃スライダの上に設置されており、前記可動刃には開口部が設けられており、前記可動刃における開口部が、前記可動刃スライダにおける突起部に入り込むことにより、前記可動刃が前記可動刃スライダに設置されることを特徴とするプリンタ装置を提供することにより上記課題を解決する。【選択図】  図２
2015044354.tif 000002
【特許請求の範囲】
【請求項１】
プリントヘッドにより印字がなされた記録紙を固定刃と可動刃により切断するプリンタ装置において、
一方の面に突起部が設けられた可動刃スライダを有し、
前記可動刃は可動刃スライダの上に設置されており、
前記可動刃には開口部が設けられており、
前記可動刃における開口部が、前記可動刃スライダにおける突起部に入り込むことにより、前記可動刃が前記可動刃スライダに設置されることを特徴とするプリンタ装置。
【請求項２】
プリンタ本体部と、前記プリンタ本体部に開閉可能な状態で接続されている蓋部とを更に有しており、
前記プリンタ本体部には、前記固定刃が設置されており、
前記蓋部には、前記可動刃が設置されていることを特徴とする請求項１に記載のプリンタ装置。
【請求項３】
前記プリンタ装置は、前記可動刃スライダが設置される可動刃フレームと、
前記可動刃フレームを覆う筐体部と、を有し、
前記可動刃及び前記可動刃スライダは、前記可動刃フレームと前記筐体部との間に設置されており、
前記可動刃、前記可動刃スライダ、前記可動刃フレーム及び前記筐体部により可動刃ユニットが形成されており、
前記蓋部が開いている状態において、前記可動刃を前記可動刃ユニットより出すことにより、前記可動刃を取り外すことができるものであることを特徴とする請求項２に記載のプリンタ装置。
【請求項４】
前記可動刃ユニット及びプラテンローラは、前記蓋部に設けられており、
前記プリントヘッドは、前記プリンタ本体部に設けられていることを特徴とする請求項３に記載のプリンタ装置。
【請求項５】
前記プリンタ本体部には、前記プラテンローラを回転させるための搬送用モータと、前記可動刃スライダをスライドさせるための可動刃用モータと、
が設けられていることを特徴とする請求項４に記載のプリンタ装置。
【請求項６】
前記可動刃の一方の面と前記可動刃スライダの一方の面とが対向している状態で、前記可動刃における開口部が、前記可動刃スライダにおける突起部に入り込むことにより、前記可動刃が前記可動刃スライダに設置されることを特徴とする請求項１から５のいずれかに記載のプリンタ装置。
【請求項７】
前記記録紙を切断する際には、前記可動刃の他方の面が前記固定刃の一方の面と接するものであって、
前記固定刃の他方の面は、固定刃バネ部の上に設置されており、
前記固定刃バネ部におけるバネは、前記固定刃の他方の面を押す方向に復元力が働くものであることを特徴とする請求項６に記載のプリンタ装置。
【請求項８】
前記可動刃スライダの一方の面には、可動刃スライダをスライドさせるためのラックが設けられていることを特徴とする請求項１から７のいずれかに記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなレシート等を発行するプリンタは、記録紙となる感熱紙を搬送しながらサーマルヘッド等により記録紙に印字等を行ない、所定の長さまで記録紙を搬送した後、カッターで所定の長さで記録紙を切断するものである。
【０００３】
このようなプリンタ装置においては、例えば、プリンタ本体部と、プリンタ本体部に回転可能な状態で支持された蓋部が設けられており、この蓋部を開くことによりプリンタ本体部に、ロール状に巻かれた記録紙を設置することができる。この場合、例えば、サーマルヘッド等は、プリンタ本体部に設置されており、プラテンローラは蓋部に設置されており、蓋部を閉じることにより、記録紙はサーマルヘッド等とプラテンローラに間に挟まれる。このようにサーマルヘッド等とプラテンローラに間に記録紙が挟まれた状態で、記録紙にサーマルヘッド等による印字がなされる。
【０００４】
このようなプリンタ装置に設けられているカッターは、可動刃と固定刃により記録紙を切断するものであり、可動刃と固定刃との間に記録紙が存在している状態において、可動刃が固定刃の設けられている側に移動することにより、記録紙を切断することができる。
【先行技術文献】
【特許文献】
【０００５】
【特許文献１】特開平７−６８８６６号公報
【特許文献２】特開２００３−２４６１０４号公報
【発明の概要】
【発明が解決しようとする課題】
【０００６】
ところで、プリンタ装置に設けられているカッターは、記録紙の切断を繰り返しているうちに、破損等する場合があり、この場合、カッターを交換しなければ、新たに記録紙を切断することができない。このため、カッターを交換することが必要となるが、カッターを構成している可動刃等のみを交換することは容易ではなく、通常は、特殊な工具を用いて、可動刃等を交換することのできる専門の人により行なわれている。
【０００７】
よって、カッターを有するプリンタ装置において、可動刃等が破損した場合に、容易に可動刃等を交換することのできるプリンタ装置が求められている。
【課題を解決するための手段】
【０００８】
本実施の形態の一観点によれば、プリントヘッドにより印字がなされた記録紙を固定刃と可動刃により切断するプリンタ装置において、一方の面に突起部が設けられた可動刃スライダを有し、前記可動刃は可動刃スライダの上に設置されており、前記可動刃には開口部が設けられており、前記可動刃における開口部が、前記可動刃スライダにおける突起部に入り込むことにより、前記可動刃が前記可動刃スライダに設置されることを特徴とする。
【発明の効果】
【０００９】
本発明によれば、カッターを有するプリンタ装置において、容易に可動刃等を交換することができる。
【図面の簡単な説明】
【００１０】
【図１】本実施の形態におけるプリンタ装置の断面図
【図２】本実施の形態におけるプリンタ装置の可動刃ユニットの分解図
【図３】可動刃スライダの斜視図
【図４】本実施の形態におけるプリンタ装置のプラテンローラが設置されている可動刃ユニットの斜視図（１）
【図５】本実施の形態におけるプリンタ装置のプラテンローラが設置されている可動刃ユニットの斜視図（２）
【図６】本実施の形態におけるプリンタ装置のプラテンローラが設置されている可動刃ユニットの構造図
【図７】本実施の形態におけるプリンタ装置のプラテンローラが設置されている可動刃ユニットの説明図
【図８】本実施の形態におけるプリンタ装置の固定刃が設置される部分の説明図（１）
【図９】本実施の形態におけるプリンタ装置の固定刃が設置される部分の説明図（２）
【発明を実施するための形態】
【００１１】
本発明を実施するための形態について、以下に説明する。尚、同じ部材等については、同一の符号を付して説明を省略する。
【００１２】
（プリンタ装置）
本実施の形態におけるプリンタ装置について説明する。本実施の形態におけるプリンタ装置は、図１に示されるように、記録紙に印字等するプリントヘッドとなるサーマルヘッド１０、記録紙を搬送するプラテンローラ２０、記録紙を切断する可動刃３１及び固定刃４１等を有している。本実施の形態においては、サーマルヘッド１０による感熱紙等の記録紙への印字は、記録紙がサーマルヘッド１０とプラテンローラ２０との間に挟まれた状態でなされる。
【００１３】
本実施の形態におけるプリンタ装置は、プリンタ本体部５０とプリンタ本体部５０に開閉可能な状態で取り付けられている蓋部６０とを有している。蓋部６０を開くことにより、プリンタ本体部５０に記録紙を設置することができ、蓋部６０を閉じることにより、サーマルヘッド１０により記録紙に印字をすることが可能な状態となる。尚、図１は、蓋部６０が閉じている状態を示している。
【００１４】
本実施の形態においては、サーマルヘッド１０及び固定刃４１は、プリンタ本体部５０に設置されており、プラテンローラ２０及び可動刃３１は、蓋部６０に設置されている。
【００１５】
図１に示されるように、可動刃３１が固定刃４１の上を移動することにより記録紙が切断される。固定刃４１は固定刃バネ部４２の上に設置されており、固定刃４１が固定刃バネ部４２の上に設置されている状態においては、固定刃バネ部４２には、固定刃４１が上方向となるような復元力が働いている。よって、記録紙を切断するため、固定刃４１の上を可動刃３１が移動する際には、固定刃バネ部４２により、固定刃４１が可動刃３１の側に押される。即ち、記録紙を切断するため可動刃３１が固定刃４１と接触し動いている状態においては、固定刃４１を押している後述するバネ４２ａにより、固定刃４１は可動刃３１を上に押し付けている。尚、サーマルヘッド１０の印字面となる正面の一部には、記録紙の搬送経路を形成する記録紙ガイド４３が設置されており、サーマルヘッド１０の背面には放熱板１１が設置されている。
【００１６】
（可動刃３１）
図２に示すように、可動刃３１は、可動刃ユニットの一部を構成する。可動刃ユニットは、可動刃３１、可動刃スライダ３２、可動刃フレーム部３３、筐体部３４等を有している。
【００１７】
可動刃３１は、金属等の材料により形成されており、可動刃３１の刃の部分がＶ字状に形成されており、可動刃３１の両側の端部近傍には、各々開口部３１ａが設けられている。
【００１８】
可動刃スライダ３２は、樹脂材料等により形成されており、図３に示すように、一方の面の両側の端部近傍に突起部３２ａが設けられている。可動刃３１は、可動刃３１の一方の面と可動刃スライダ３２の一方の面とが対向している状態で、可動刃３１に設けられている開口部３１ａを可動刃スライダ３２に設けられている突起部３２ａに入れることにより可動刃スライダ３２に設置することができる。従って、容易に可動刃スライダ３２に可動刃３１を設置することができ、また、容易に可動刃スライダ３２より可動刃３１を取り外すことができる。尚、図２には、可動刃３１の一方の面及び可動刃スライダ３２の他方の面が示されており、図３には、可動刃スライダ３２の一方の面が示されている。
【００１９】
図３に図示するように、可動刃スライダ３２の一方の面の両側には、可動刃３１を動かすためのラック３２ｂが各々に設けられており、後述する可動刃用モータにギア等を介して接続されている不図示のピニオンと接続されている。これにより、可動刃用モータを回転させることにより不図示のピニオンが回転し、この回転がラック３２ｂに伝達され、可動刃スライダ３２を動かすことができる。このように、可動刃スライダ３２を動かすことにより、可動刃３１を動かすことができる。可動刃３１及び可動刃スライダ３２は、可動刃フレーム部３３の上部に設置されており、可動刃３１及び可動刃スライダ３２を覆うように筐体部３４が設置されている。筐体部３４は金属等の材料により形成されている。
【００２０】
また、プラテンローラ２０は、可動刃フレーム部３３に、回転可能な状態で取り付けられており、上述したように、プラテンローラ２０及び可動刃ユニットはプリンタ装置の蓋部に取り付けられている。
【００２１】
図２に示される分解図の部品を組立てたものを図４〜図６に示す。図４は、可動刃３１が可動刃ユニットの内部に入っている状態の上面側の斜視図である。図５（ａ）は、可動刃３１により記録紙を切断するため、可動刃３１が可動刃ユニットから出ている状態の上面側の斜視図であり、図５（ｂ）は、可動刃３１が可動刃ユニットから出ている状態の底面側の斜視図である。また、図６（ａ）は、背面図であり、図６（ｂ）は、図６（ａ）における一点鎖線６Ａ−６Ｂにおいて切断した、可動刃３１が可動刃ユニットから出ている状態の断面図である。
【００２２】
図７は、可動刃ユニットより可動刃３１を取り外した状態の斜視図、即ち、図７（ａ）は上面側の斜視図であり、図７（ｂ）は底面側の斜視図である。可動刃３１は、可動刃３１の開口部３１ａが可動刃スライダ３２における突起部３２ａに入り込むことにより設置されている。よって、可動刃３１を可動刃ユニットから取り外す際には、プリンタ装置における蓋部が開いている状態で、可動刃ユニットから可動刃３１を前に出すことにより、容易に取り外すことができる。また、交換した可動刃３１を可動刃スライダ３２に容易に取り付けることができる。
【００２３】
尚、蓋部が閉じている状態においては、固定刃４１を上方向に押している固定刃バネ部４２により、可動刃３１は可動刃スライダ３２の側に押されている。よって、可動刃３１が動き可動刃ユニットから出ても、可動刃３１における開口部３１ａが可動刃スライダ３２における突起部３２ａより外れることはない。即ち、蓋部が閉じている状態においては、可動刃３１の他方の面が固定刃４１の一方の面と接触し押されているため、可動刃３１における開口部３１ａが可動刃スライダ３２における突起部３２ａより外れることはない。よって、可動刃３１が外れることなく、可動刃３１と固定刃４１により記録紙を切断することができる。
【００２４】
（固定刃４１）
次に、図８及び図９に基づき、固定刃４１について説明する。固定刃４１には、両端に突起部４１ａ及び４１ｂが設けられており、固定刃４１の他方の面（図８、図９における下面）が固定刃バネ部４２の側となるように、固定刃バネ部４２の上に設置されている。固定刃４１は、金属材料等により形成されており、可動刃３１と対向する側に刃が設けられている。固定刃バネ部４２は、金属等の材料により形成されており、固定刃４１が取り付けられている状態で、固定刃４１の他方の面を押すバネ４２ａと、固定刃４１における突起部４１ａ及び４１ｂが入る開口部４２ｂ及び４２ｃが設けられている。固定刃バネ部４２においてバネ４２ａは３ヶ所に設けられており、バネ４２ａにより固定刃４１を上に持ち上げる方向、即ち、固定刃４１の他方の面を押す方向に復元力が働いている。
【００２５】
即ち、固定刃４１は、固定刃バネ部４２における開口部４２ｂに固定刃４１における突起部４１ａが入り込み、固定刃バネ部４２における開口部４２ｃに固定刃４１における突起部４１ｂが入り込むことにより設置され、バネ４２ａにより上に持ち上げられている。よって、固定刃４１における突起部４１ａ及び４１ｂを固定刃バネ部４２における開口部４２ｂ及び４２ｃより外すことにより、固定刃４１を固定刃バネ部４２より取り外すことができる。
【００２６】
尚、プリンタ本体部には、プラテンローラ２０を回転させることにより記録紙を搬送するための搬送用モータ４４及び可動刃３１を駆動するための可動刃用モータ４５が設けられている。
【００２７】
蓋部を閉じることにより、搬送用モータ４４は、不図示のギアを介し、プラテンローラ２０と接続されて、搬送用モータ４４が回転すると、プラテンローラ２０を回転させることができる。また、可動刃用モータ４５は、不図示のギアを介しピニオンが可動刃スライダ３２におけるラック３２ｂと接続されて、可動刃用モータ４５が回転すると、可動刃スライダ３２がスライドし、可動刃３１を動かすことができる。
【００２８】
以上、本発明の実施に係る形態について説明したが、上記内容は、発明の内容を限定するものではない。
【符号の説明】
【００２９】
１０        サーマルヘッド
１１        放熱板
２０        プラテンローラ
３１        可動刃
３１ａ      開口部
３２        可動刃スライダ
３２ａ      突起部
３２ｂ      ラック
３３        可動刃フレーム部
３４        筐体部
４１        固定刃
４１ａ、４１ｂ      突起部
４２        固定刃バネ部
４２ａ      バネ
４２ｂ、４２ｃ      開口部
４３        記録紙ガイド
４４        搬送用モータ
４５        可動刃用モータ
５０        プリンタ本体部
６０        蓋部
【図１】
2015044354.tif 000003
【図２】
2015044354.tif 000004
【図３】
2015044354.tif 000005
【図４】
2015044354.tif 000006
【図５】
2015044354.tif 000007
【図６】
2015044354.tif 000008
【図７】
2015044354.tif 000009
【図８】
2015044354.tif 000010
【図９】
2015044354.tif 000011